【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
通信ネットワークリンクに接続されるように適合されたフィールド装置であって、
前記フィールド装置を前記通信ネットワークリンクへ接続するための通信インターフェースと、
プロセス測定をパラメータ化されたデータに変換する、又は、パラメータ化されたデータを物理的な動作へ変換する装置アプリケーションユニットと、
第１の通信プロトコルを用いて前記通信ネットワークリンクを介して通信を実行する、前記第１の通信プロトコルと関連付けられた第１の通信ユニットと、
第２の通信プロトコルを用いて前記通信ネットワークリンクを介して通信を実行する、前記第１の通信プロトコルとは異なった前記第２の通信プロトコルと関連付けられた第２の通信ユニットと、
を備えることを特徴とするフィールド装置。
【請求項２】
前記通信インターフェースは、前記第１及び第２の通信ユニットと接続されて、
前記通信インターフェースは、前記第１及び第２の通信ユニットからの信号を前記通信ネットワークリンク上へ多重化し、前記第１の通信ユニットへ、前記通信ネットワークリンクに到着する前記第１の通信プロトコルにおける通信を提供し、前記第２の通信ユニットへ、前記通信ネットワークリンクに到着する前記第２の通信プロトコルにおける通信を提供するマルチプレクサを備えることを特徴とする請求項１に記載のフィールド装置。
【請求項３】
前記マルチプレクサは、伝送制御プロトコル（TCP）のマルチプレクサであることを特徴とする請求項２に記載のフィールド装置。
【請求項４】
前記第１の通信プロトコルは、第１のインターネットプロトコル（IP）であり、前記第２の通信プロトコルは、前記第１のインターネット（IP）とは異なる第２のインターネットプロトコル（IP）であることを特徴とする請求項１に記載のフィールド装置。
【請求項５】
前記第１のインターネットプロトコルは、Ethernet/IPプロトコル又はProfinetプロトコルであり、前記第２のインターネットプロトコルは、HART-IPプロトコル又はFoundation Fieldbusプロトコルであることを特徴とする請求項４に記載のフィールド装置。
【請求項６】
プロセス状態を検出するための前記装置アプリケーションユニットに接続され、プロセス測定を生成するセンサ、又は、物理的な動作を実行するための前記装置アプリケーションユニットに接続され、プロセス変数を制御する制御装置、の１つをさらに備えることを特徴とする請求項１に記載のフィールド装置。
【請求項７】
物理的な動作を実行するための前記装置アプリケーションユニットに接続され、それによって、装置アプリケーションからのパラメータ化されたデータに基づいてプロセス変数を制御する制御装置をさらに備え、
前記制御装置は、要素の物理的な動作を実行する電気的な又は水力のアクチュエータであることを特徴とする請求項１に記載のフィールド装置。
【請求項８】
前記第１の通信ユニットは、前記第１の通信プロトコルを用いて、装置管理通信を実行し、前記第２の通信ユニットは、前記第２の通信プロトコルを用いて、プロセス制御通信を実行することを特徴とする請求項１に記載のフィールド装置。
【請求項９】
複数の異なった通信プロトコルのための通信プロトコル設定データを保存するメモリをさらに含み、
前記第１及び第２の通信ユニットの１つ以上は、保存され及び設定された通信プロトコルに関する通信を実行するために、前記メモリに保存された前記通信プロトコル設定データで設定可能であることを特徴とする請求項１に記載のフィールド装置。
【請求項１０】
前記第１及び第２の通信ユニットの１つは、音声通信を実行することを特徴とする請求項１に記載のフィールド装置。
【請求項１１】
通信ネットワークリンク上のフィールド装置の通信を実行する方法であって、
前記フィールド装置と前記通信ネットワークリンクとの間の通信接続を確立するステップと、
前記フィールド装置のプロセッサを介して、前記フィールド装置において、プロセス測定をパラメータ化されたデータに変換する、又は、パラメータ化されたデータを物理的な動作を引き起こす制御信号へ変換するステップと、
第１の通信プロトコルを用いて、前記フィールド装置内の第１の通信ユニットを介して、前記通信ネットワークリンク上で、通信を実行するステップと、
前記第１の通信プロトコルとは異なる第２の通信プロトコルを用いて、前記フィールド装置内の第２の通信ユニットを介して、前記通信ネットワークリンク上で、通信を実行するステップと、
を含むことを特徴とするフィールド装置の通信を実行する方法。
【請求項１２】
前記第１及び第２の通信ユニットを介して通信を実行するステップは、前記第１及び第２の通信ユニットからの信号を前記通信ネットワークリンク上へ多重化するステップと、前記第１の通信ユニットへ、前記通信ネットワークリンクに到着する前記第１の通信プロトコルにおける通信を提供するステップと、前記第２の通信ユニットへ、前記通信ネットワークリンクに到着する前記第２の通信プロトコルにおける通信を提供するステップと、を含むことを特徴とする請求項１１に記載のフィールド装置の通信を実行する方法。
【請求項１３】
前記フィールド装置のメモリ内の複数の異なった通信プロトコルのための通信プロトコル設定データを保存するステップ、及び、
ホスト装置が、通信を実行するために、前記メモリに保存された前記通信プロトコル設定データで、前記フィールド装置の前記第１及び第２の通信ユニットの１つ又は両方を設定することを可能にするステップを、さらに含むことを特徴とする請求項１１に記載のフィールド装置の通信を実行する方法。
【請求項１４】
通信ネットワークに関連付けられた通信リンクと、
１つ以上のフィールド装置と、
前記通信リンクへ通信接続された１つ以上の他の装置と、
を備えるプロセス制御システムであって、
前記１つ以上のフィールド装置のそれぞれは、
前記フィールド装置を前記通信リンクへ接続するための通信インターフェースと、
プロセス測定をパラメータ化されたデータに変換する、又は、パラメータ化されたデータを物理的な動作制御信号へ変換する装置アプリケーションユニットと、
第１の通信プロトコルを用いて前記通信リンクを介して通信を実行する、前記第１の通信プロトコルと関連付けられた第１の通信ユニットと、
第２の通信プロトコルを用いて前記通信リンクを介して通信を実行する、前記第１の通信プロトコルとは異なった前記第２の通信プロトコルと関連付けられた第２の通信ユニットと、
を備えることを特徴とするプロセス制御システム。
【請求項１５】
前記フィールド装置に対する前記通信インターフェースは、前記第１及び第２の通信ユニットと接続されて、
前記通信インターフェースは、前記第１及び第２の通信ユニットからの信号を前記通信リンク上へ多重化し、前記第１の通信ユニットへ、前記通信リンクに到着する前記第１の通信プロトコルにおける通信を提供し、前記第２の通信ユニットへ、前記通信リンクに到着する前記第２の通信プロトコルにおける通信を提供するマルチプレクサを備えることを特徴とする請求項１４に記載のプロセス制御システム。
【請求項１６】
通信ネットワークリンクに接続されるように適合されたフィールド装置であって、
前記フィールド装置を前記通信ネットワークリンクへ接続するための通信インターフェースと、
プロセス測定をパラメータ化されたデータに変換する、又は、パラメータ化されたデータを物理的な動作へ変換する装置アプリケーションユニットと、
前記通信ネットワークリンクを介して通信を実行するため、前記第１の通信プロトコル又は第１の通信プロトコルとは異なる第２の通信プロトコルを用いるように設定されてよい設定可能通信ユニットと、
前記第１の又は第２の通信プロトコルを用いて通信する通信ユニットによって使用されるための前記第１又は第２の通信プロトコルの１つに関連付けられた通信プロトコル設定データを保存する設定可能メモリと、
を備えることを特徴とするフィールド装置。